(57)【要約】【課題】  遊技機において、電源ボックスを筐体内に簡単かつ確実に取り付け可能にする。【解決手段】  電源ボックス１０の後面下部に後ろ向きの突起片１０ａを設けるとともに、筐体２の底板２１に、電源ボックス１０の後面下部が後方へ向けて当接可能で、かつ突起片１０ａが前方から嵌合可能な後側係止部１１ｃと、電源ボックス１０の後面下部が後側係止部１１ｃに当接した状態で、電源ボックス１０の前面下部が前方へ向けて当接可能な前側係止部１ｂとを設ける。  【選択図】  図５
2006116198.tif 000002
【特許請求の範囲】
【請求項１】
前面に前扉を開閉可能に設けた筐体内に、遊技機器に電力を供給可能な電源ボックスを固定した遊技機において、
前記電源ボックスの後面下部に後ろ向きの突起片を設けるとともに、前記筐体の底板に、前記電源ボックスの後面下部が後方へ向けて当接可能で、かつ前記突起片が前方から嵌合可能な後側係止部と、前記電源ボックスの後面下部が前記後側係止部に当接した状態で、前記電源ボックスの前面下部が前方へ向けて当接可能な前側係止部とを設けたことを特徴とする遊技機。
【請求項２】
前側係止部及び後側係止部を、筐体の底板の上面に固定される金属板製のベースプレートの一部を上方へ突出させて成形したことを特徴とする請求項１記載の遊技機。
【請求項３】
電源ボックスの側面上部に、筐体の側板に対向する取付片を設けるとともに、該取付片を、左右方向を向くねじにより、前記側板に固定したことを特徴とする請求項１または２記載の遊技機。
【発明の詳細な説明】
【技術分野】
【０００１】
本発明は、前面に前扉を開閉可能に設けた筐体内に、遊技機器に電力を供給可能な電源ボックスを固定した遊技機に関する。
【背景技術】
【０００２】
スロットマシン等の遊技機において、筐体内には、遊技を実行させるための各種遊技機器が収容されている。遊技機器としては、例えば、図柄等の識別情報を変動表示可能な回転リール、メダル等の遊技媒体を貯留及び放出可能なホッパーユニット、各種制御基板、遊技全体を統括的に制御する主制御基板、及び電源ボックス等があり、電源ボックスは、筐体の側板とホッパーユニットとの間の極めて狭いスペースに配置され、筐体の底板にねじ止めされるようになっている（例えば、特許文献１参照）。
【特許文献１】特開２００１−１７０２４７号公報
【発明の開示】
【発明が解決しようとする課題】
【０００３】
しかし、特許文献１に開示されたような遊技機においては、電源ボックスが上述のような狭いスペースに配置されるため、電源ボックスを筐体内に取り付ける際の取り付け作業が極めて面倒である。
【０００４】
本発明は、前記従来の問題に鑑み、電源ボックスを筐体内に簡単かつ確実に取り付け可能にした遊技機を提供することを目的とする。
【課題を解決するための手段】
【０００５】
本発明によると、上記課題は、次のようにして解決される。
（１）前面に前扉を開閉可能に設けた筐体内に、遊技機器に電力を供給可能な電源ボックスを固定した遊技機において、前記電源ボックスの後面下部に後ろ向きの突起片を設けるとともに、前記筐体の底板に、前記電源ボックスの後面下部が後方へ向けて当接可能で、かつ前記突起片が前方から嵌合可能な後側係止部と、前記電源ボックスの後面下部が前記後側係止部に当接した状態で、前記電源ボックスの前面下部が前方へ向けて当接可能な前側係止部とを設ける。
【０００６】
（２）上記(１)項において、前側係止部及び後側係止部を、筐体の底板の上面に固定される金属板製のベースプレートの一部を上方へ突出させて成形する。
【０００７】
（３）上記(１)または(２)項において、電源ボックスの側面上部に、筐体の側板に対向する取付片を設けるとともに、該取付片を、左右方向を向くねじにより、前記側板に固定する。
【発明の効果】
【０００８】
本発明によれば、次のような効果が奏せられる。
（１）請求項１記載の発明によると、電源ボックスの後面下部に設けた突起片を、筐体の底板に設けた後側係止部に嵌合させ、かつ電源ボックスの後面下部を、底板に設けた前側係止部と後側係止部との間に挾持させることにより、電源ボックスを筐体内の底板上に簡単かつ確実に固定することができる。
【０００９】
（２）請求項２記載の発明によると、前側係止部及び後側係止部を、筐体内の底板上に簡単に形成することができる。
【００１０】
（３）請求項３記載の発明によると、電源ボックスの上部を筐体の側板に締結することにより、電源ボックスを筐体内により確実に固定することができる。
【発明を実施するための最良の形態】
【００１１】
以下、本発明の一実施形態を、図に基づいて説明する。図１は、本発明を適用した遊技機（スロットマシン）の正面図、図２は、前扉を開けた状態の遊技機の斜視図、図３は、前扉を取り外した状態の筐体の斜視図、図４は、電源ボックスの後方斜視図、図５は、図３におけるＶ−Ｖ線に沿う縦断面拡大図、図６は、要部の後方斜視図である。なお、以下の説明では、図１において紙面手前側、図２、３において左斜め前方を遊技機の「前方または表面」とし、図１において紙面奥側、図２、３において右斜め後方を「後方または裏面」とし、図１において左側、図２、３において左斜め上方を「左方」とし、図１において右側、図２、３において右斜め下方を「右方」とする。
【００１２】
遊技機(１)としてのスロットマシンは、正面（前面）が開口する正面視矩形の筐体(２)と、筐体(２)の前面左側部に上下方向を向く上下１対のヒンジ軸(４)により開閉可能に枢支された前扉(３)とを備える。
【００１３】
前扉(３)は、閉状態にあるとき、前扉(３)の裏面に設けられた上下のフックレバー(3a)が筐体(２)に設けられた係合片（図示略）に係合することにより、所定のキー等を使用しない限り開けられないようになっている。
【００１４】
筐体(２)内には、複数種類の図柄、数字等で構成される識別情報を変動及び停止表示可能な３個の回転リール(５)と、遊技媒体であるメダル（コインを含む）を貯留及び払出可能なホッパーユニット(６)と、遊技全体を統括的に制御する主制御基板(７)と、主制御基板(７)から出力される制御信号に基づいて、前扉(３)の裏面側に設けられた各種遊技情報及び演出を表示可能な液晶表示ユニット(31)及び効果音を発生するスピーカ(32)等に制御信号を出力可能な副制御基板(８)と、主制御基板(７)から出力される制御信号に基づいて、各回転リール(５)を回転させるモータを駆動制御可能な回転リール制御基板(９)と、主制御基板(７)を介して、ホッパーユニット(６)、副制御基板(８)、回転リール制御基板(９)等の各種遊技機器（主制御基板(７)を含む）に電力を供給可能な電源ボックス(10)が収容されている。
【００１５】
前扉(３)の前面には、液晶表示ユニット(31)に表示される遊技情報及び演出を視認可能な遊技情報表示窓(33)、各回転リール(５)の識別情報を３こまずつ視認可能な識別情報表示窓(34)等が設けられている。また、識別情報表示窓(34)の下方には、遊技を行うときにメダルが投入されるメダル投入口(35)、メダルの賭数を設定するベットボタン(36)、全ての回転リール(５)を回転させるときに操作されるスタートレバー(37)、各回転リール(５)の回転を停止させるときに操作される３個のストップボタン(38)等が設けられている。
【００１６】
遊技機(１)の遊技は、遊技者がメダルをメダル投入口(35)に投入した後、ベットボタン(36)によりメダルの賭数を設定した後、スタートレバー(37)を操作して、全ての回転リール(５)を回転させることによって開始される。なお、メダル投入口(35)に投入されたメダルは、前扉(３)の裏面側に設けられたメダルセレクタ（図示略）によりメダルの真偽が判別され、真と判別されたメダルのみがホッパーユニット(６)に誘導され、偽と判別されたメダルは前扉(３)の下部に設けられたメダル受皿(3b)に戻される。
【００１７】
回転リール(５)が回転して所定時間が経過した後、３個のストップボタン(38)を順次操作して、各回転リール(５)の回転を停止させ、停止した３個の回転リール(５)の識別情報の組み合わせにより、入賞の有無、及び賞の大小に応じたメダルの配当枚数が確定され、入賞した場合には、予め定めた入賞枚数分だけホッパーユニット(６)からメダル受皿(3b)にメダルが払い出される。
【００１８】
なお、本実施形態において、遊技機(１)を遊技媒体がメダル（コインを含む）とするスロットマシンとして説明するが、本発明は、これに特定されるものでなく、遊技機(１)を遊技媒体がパチンコ玉であるパチンコ機またはスロットマシンとしても良い。
【００１９】
筐体(２)の下部を形成する底板(21)の上面には、金属板製のベースプレート(11)が固定されている。ベースプレート(11)には、主に図３に示すように、ホッパーユニット(６)を固定するための前後方向を向く左右１対のレール(11a)(11a)と、筐体(２)の左側部を形成する左側板(22)の近傍にあって、電源ボックス(10)の下部を固定するための前側係止部(11b)及び後側係止部(11c)とが一体的に設けられている。
【００２０】
なお、ベースプレート(11)は、左端部に設けた上向き折曲片(11d)を左側板(22)の内側面に、また、前部に設けた下向き折曲片(11e)を底板(21)の前端にそれぞれ当接させた位置決め状態で、複数のねじ(12)により底板(11)の上面に固定される。
【００２１】
前側係止部(11b)は、ベースプレート(11)の一部を上方へ突出させて、後方のみが開口するルーバー加工（ワークを切り絞り、開口部を作る加工）により形成されるとともに、その後端に、電源ボックス(10)の前方移動を阻止し得るように、電源ボックス(10)の前面下部を前方へ向けて当接可能としている。
【００２２】
後側係止部(11c)は、前側係止部(11b)の後方にあって、ベースプレート(11)の一部を上方へ突出させて、前後方向が開口するブリッジ加工（ワークをブリッジ状に切り絞る加工）またはルーバー加工により形成されるとともに、電源ボックス(10)の後面下部に設けられた後述の突起片(10a)が前方から嵌合可能とし、また、その前端に、電源ボックス(10)の後面下部を後方へ向けて当接可能としている。
【００２３】
上述のように、前側係止部(11b)及び後側係止部(11c)を、ベースプレート(11)に一体的に形成することにより、ベースプレート(11)を筐体(２)内の底板(21)上に固定するだけで、筐体(２)内の底板(21)上に、前側係止部(11b)及び後側係止部(11c)を簡単かつ精度良く形成することができる。
【００２４】
なお、前側係止部(11b)の後端と後側係止部(11c)の前端との間隔(Ｌ)（図６参照）は、電源ボックス(10)における下部の前後寸法(L1)とほぼ同一になるように形成される。
【００２５】
電源ボックス(10)は、電源装置、遊技を設定する制御基板等を収容するとともに、その後面下部には、後方へ突出し、後側係止部(11c)に前方から嵌合可能な舌片状の突起片(10a)が設けられ、また、左側面上端部には、左側板(22)の内側面に対向する取付片(10b)が設けられている。
【００２６】
電源ボックス(10)を筐体(２)内の底板(21)上に固定するには、次のように行われる。先ず、電源ボックス(10)を、図５に２点鎖線で示すように、ベースプレート(11)上に載置するとともに、突起片(10a)を前方から後側係止部(11c)に僅かに嵌合させた状態で、後方へ押し込む。これにより、電源ボックス(10)の後面下部が、後側係止部(11c)の前端に当接して、これ以上の移動が阻止されるとともに、突起片(10a)が後側係止部(11c)に完全に嵌合する。また、これとほぼ同時に、前側係止部(11b)上に乗り上げていた電源ボックス(10)の底部が前側係止部(11b)上から外れて、電源ボックス(10)の下部が前側係止部(11b)と後側係止部(11c)との間に挾持される。この結果、突起片(10a)が後側係止部(11c)に対して上及び左右方向に嵌合することにより、電源ボックス(10)における後部の左右方向及び浮き上がりが抑止され、また、電源ボックス(10)の下部が前側係止部(11b)と後側係止部(11c)との間に挾持されることにより、電源ボックス(10)の前後方向のがた付きが抑止される。次いで、左右方向を向くねじ(13)により、取付片(10b)をスペーサ(14)を介して左側板(22)の内側面に締結し、電源ボックス(10)の上部を左側板(22)に固定する。
【００２７】
メンテナンス等により電源ボックス(10)を筐体(２)内から取り外す場合には、次のように行われる。取付片(10b)を左側板(22)の内側面に固定しているねじ(13)を外した後、電源ボックス(10)の前部を持ち上げた状態で、電源ボックス(10)を前方へ引き出すことにより、筐体(２)から簡単に取り外すことができる。
【図面の簡単な説明】
【００２８】
【図１】本発明の一実施形態を適用した遊技機の正面図である。
【図２】前扉を開けた状態の遊技機の斜視図である。
【図３】筐体の斜視図である。
【図４】電源ボックスの後方斜視図である。
【図５】図３におけるＶ−Ｖ線に沿う縦断面拡大図である。
【図６】要部の後方斜視図である。
【符号の説明】
【００２９】
(１)遊技機
(２)筐体
(３)前扉
(3a)フックレバー
(3b)メダル受皿
(４)ヒンジ軸
(５)回転リール
(６)ホッパーユニット
(７)主制御基板
(８)副制御基板
(９)回転リール制御基板
(10)電源ボックス
(10a)突起片
(10b)取付片
(11)ベースプレート
(11a)ガイドレール
(11b)前側係止部
(11c)後側係止部
(11d)上向き折曲片
(11e)下向き折曲片
(12)(13)ねじ
(21)底板
(22)左側板
(31)液晶表示ユニット
(32)スピーカ
(33)遊技情報表示窓
(34)識別情報表示窓
(35)メダル投入口
(36)ベットボタン
(37)スタートレバー
(38)ストップボタン
【図１】
2006116198.tif 000003
【図２】
2006116198.tif 000004
【図３】
2006116198.tif 000005
【図４】
2006116198.tif 000006
【図５】
2006116198.tif 000007
【図６】
2006116198.tif 000008